(57)【特許請求の範囲】
【請求項１】
箱状の本体ケーシングと、本体ケーシング内の一端側に形成されたコイン収容室と、コイン収容室に対しコインをコイン径方向に出し入れするために本体ケーシングの他側面部に形成された出し入れ口と、コイン収容室と出し入れ口との間でコインを移動させるために本体ケーシングの上面部に形成された指操作用スリットと、出し入れ口を開閉自在に塞ぐためにコイン収容室内に配置されて上下に弾性変形する板バネ部材とを備えて成り、前記板バネ部材は、コイン取り出し時に指操作用スリットから挿し入れられた指により押し下げられて出し入れ口を開く構成にされており、出し入れ口の上面側の縁部は、板バネ部材上で他端側に向けて押し出されるコインを係止するために、本体ケーシングの上面部から下向きに突出して形成されていることを特徴とする小銭入れ。
【請求項２】
それぞれ複数のコイン収容室、出し入れ口、および指操作用スリットが本体ケーシングに左右方向に並設され、隣り合うコイン収容室の間が隔壁で仕切られ、各コイン収容室内に板バネ部材が配置されている請求項１に記載の小銭入れ。
【請求項３】
隔壁が本体ケーシングとは別個独立に構成され、前記隔壁をコイン径方向移動可能に位置決め固定する位置決め部材が、コイン収容室内に設けられている請求項２に記載の小銭入れ。
【請求項４】
箱状の本体ケーシングと、本体ケーシング内の一端側に形成された第１コイン収容室と、第１コイン収容室に対しコインをコイン径方向に出し入れするために本体ケーシングの他側面部の上部に形成された第１出し入れ口と、第１コイン収容室と第１出し入れ口との間でコインを移動させるために本体ケーシングの上面部に形成された第１指操作用スリットと、本体ケーシング内の他端側に形成された第２コイン収容室と、第２コイン収容室に対しコインをコイン径方向に出し入れするために本体ケーシングの一側面部の下部に形成された第２出し入れ口と、第２コイン収容室と第２出し入れ口との間でコインを移動させるために本体ケーシングの下面部に形成された第２指操作用スリットと、第１出し入れ口または第２出し入れ口を開閉自在に塞ぐために第１コイン収容室および第２コイン収容室内に配置されて上下に弾性変形する板バネ部材とを備えて成り、
前記板バネ部材は、部材全体が側断面視略Ｓの字状に形成されていて、本体ケーシングの第１出し入れ口と第２出し入れ口を開閉自在に塞ぐ２つの蓋部と、第１出し入れ口と第２出し入れ口を塞ぐ方向に蓋部を弾性付勢するために２つの蓋部からそれぞれ先端側に延在して形成された両端のバネ部と、２つの蓋部からそれぞれバネ部とは反対側に向かって延在し第１指操作用スリットと第２指操作用スリットの近傍位置に配置される２つのコイン操作部と、第１コイン収容室内と第２コイン収容室内に配置されてコインを収受する２つの床部とから成り、
コイン取り出し時に第１指操作用スリットまたは第２指操作用スリットから挿し入れられた指により第１板バネ部材のコイン操作部または第２板バネ部材のコイン操作部が押されて第１出し入れ口または第２出し入れ口を開く構成にされていることを特徴とする小銭入れ。
【請求項５】
本体ケーシングの上面部の天井面に、下向きに突出した係止突起部が設けられ、当該係止突起部は、係止突起部の下端部と、出し入れ口を塞いだ状態の板バネ部材の上面との間に１枚のコインを通過可能な隙間を有するように形成されている請求項１から請求項４までのいずれか一項に記載の小銭入れ。
【発明の詳細な説明】
【技術分野】
【０００１】
本発明は、本体ケーシングの指操作用スリットから指でコインを操作して出し入れ口から出し入れされる小銭入れに関する。
【背景技術】
【０００２】
従来、この種の小銭入れとしては、例えば特許文献１に記載されたものが知られている。この小銭入れは、断面コの字状または断面エの字状に形成された複数の隔壁が所定間隔で基部本体に並設され、隣り合う隔壁間がコイン収容部とされ、隣り合う隔壁間の空間がコインを移動させるための指操作用スリットとされ、隣り合う隔壁先端部の間は離れていてコイン出し入れ口とされている。前記した複数の隔壁は可撓性を有しているため、隔壁先端部間のコイン出し入れ口は、外部からの力によりコイン通過可能な広さに拡げられるようになっている。
【０００３】
そして、特許文献２には、特許文献１の構成に加えて、硬貨を押圧保持する弾性的な硬貨押し部をコイン収容部に備える硬貨入れが記載されている。
【先行技術文献】
【特許文献】
【０００４】
【特許文献１】特開２０１０−２６８８７０号公報
【特許文献２】実開平０３−０６０４４７号公報
【発明の概要】
【発明が解決しようとする課題】
【０００５】
ところで、引用文献１および引用文献２に記載のものはいずれも、隔壁先端部にコイン係止突部を有しているが、コイン出し入れ口が常に開放されており、外力により隔壁自体が撓んで弾性変形することもあって、外力によりコイン取り出し口が拡がり、コイン収容部に収容されているコインがコイン取り出し口から飛び出してしまうことがある。また、通常の取り出し時であっても、コイン取り出し口が拡がりやすいことから、２枚以上のコインが重なって取り出されることがあり、所望する枚数のコインを確実に取り出すことが困難な場合がある。そのような場合、無用に取り出されたコインをわざわざコイン収容部に戻す必要があった。
【０００６】
一方で、引用文献２の硬貨入れは、走行中に振動しやすい自動車用のサンバイザーに用いられるものであり、硬貨押し部はその上方位置にあるコインを硬貨受け部の天井面に押し付けて固定保持するようになっている。
【０００７】
本発明は、上記した従来の問題点に鑑みてなされたものであって、コイン収容室内に収容したコインが出し入れ口から無用に飛び出すことがなく、コイン取り出し時にはコインを１枚ずつ確実かつ簡単に取り出すことのできる小銭入れの提供を目的とする。
【課題を解決するための手段】
【０００８】
上記目的を達成するために、本発明に係る小銭入れは、箱状の本体ケーシングと、本体ケーシング内の一端側に形成されたコイン収容室と、コイン収容室に対しコインをコイン径方向に出し入れするために本体ケーシングの他側面部に形成された出し入れ口と、コイン収容室と出し入れ口との間でコインを移動させるために本体ケーシングの上面部に形成された指操作用スリットと、出し入れ口を開閉自在に塞ぐためにコイン収容室内に配置されて上下に弾性変形する板バネ部材とを備えて成り、前記板バネ部材は、コイン取り出し時に指操作用スリットから挿し入れられた指により押し下げられて出し入れ口を開く構成にしてあり、出し入れ口の上面側の縁部が、板バネ部材上で他端側に向けて押し出されるコインを係止するために、本体ケーシングの上面部から下向きに突出して形成されているものである。
【０００９】
更に、前記した各構成において、それぞれ複数のコイン収容室、出し入れ口、および指操作用スリットが本体ケーシングに左右方向に並設され、隣り合うコイン収容室の間が隔壁で仕切られ、各コイン収容室内に板バネ部材が配置されているものである。
【００１０】
また、前記構成において、隔壁が本体ケーシングとは別個独立に構成され、前記隔壁をコイン径方向移動可能に位置決め固定する位置決め部材が、コイン収容室内に設けられているものである。
【００１１】
そして、本発明に係る別の小銭入れは、箱状の本体ケーシングと、本体ケーシング内の一端側に形成された第１コイン収容室と、第１コイン収容室に対しコインをコイン径方向に出し入れするために本体ケーシングの他側面部の上部に形成された第１出し入れ口と、第１コイン収容室と第１出し入れ口との間でコインを移動させるために本体ケーシングの上面部に形成された第１指操作用スリットと、本体ケーシング内の他端側に形成された第２コイン収容室と、第２コイン収容室に対しコインをコイン径方向に出し入れするために本体ケーシングの一側面部の下部に形成された第２出し入れ口と、第２コイン収容室と第２出し入れ口との間でコインを移動させるために本体ケーシングの下面部に形成された第２指操作用スリットと、第１出し入れ口または第２出し入れ口を開閉自在に塞ぐために第１コイン収容室および第２コイン収容室内に配置されて上下に弾性変形する板バネ部材とを備えて成り、前記板バネ部材は、部材全体が側断面視略Ｓの字状に形成されていて、本体ケーシングの第１出し入れ口と第２出し入れ口を開閉自在に塞ぐ２つの蓋部と、第１出し入れ口と第２出し入れ口を塞ぐ方向に蓋部を弾性付勢するために２つの蓋部からそれぞれ先端側に延在して形成された両端のバネ部と、２つの蓋部からそれぞれバネ部とは反対側に向かって延在し第１指操作用スリットと第２指操作用スリットの近傍位置に配置される２つのコイン操作部と、第１コイン収容室内と第２コイン収容室内に配置されてコインを収受する２つの床部とから成り、コイン取り出し時に第１指操作用スリットまたは第２指操作用スリットから挿し入れられた指により第１板バネ部材のコイン操作部または第２板バネ部材のコイン操作部が押されて第１出し入れ口または第２出し入れ口を開く構成にされているものである。
【００１２】
そして、前記した各構成において、本体ケーシングの上面部の天井面に、下向きに突出した係止突起部が設けられ、当該係止突起部は、係止突起部の下端部と、出し入れ口を塞いだ状態の板バネ部材の上面との間に１枚のコインを通過可能な隙間を有するように形成されているものである。
【発明の効果】
【００１３】
本発明に係る小銭入れによれば、本体ケーシングに形成されたコイン用の出し入れ口が板バネ部材により開閉自在に塞がれているので、コイン収容室内に収容されているコインが出し入れ口から飛び出すことを防止できる。一方、コイン取り出し時には、本体ケーシングの指操作用スリットから挿し入れられた指により、板バネ部材が押し下げられて出し入れ口が開かれるので、コインを１枚ずつ確実かつ簡単に取り出すことができる。
【００１４】
また、出し入れ口の上面側の縁部が本体ケーシングの上面部から下向きに突出して形成されているので、指操作用スリットから挿し入れた指を板バネ部材上のコインから離しても、そのコインは出し入れ口の上面側の縁部でいったん係止されるので、不意にコインが出し入れ口から飛び出すことを未然に防止できる。
【００１５】
そして、本体ケーシングの上面部の天井面に設けられた係止突起部の下端部と板バネ部材の上面との間に、１枚のコインを通過可能な隙間を有するものでは、出し入れ口を低くコイン収容室を高くするように本体ケーシングを傾けると、傾斜した板バネ部材上を複数のコインが出し入れ口に向かって滑動しようとする。しかしながら、１枚のコインだけが前記の隙間を通過して指操作用スリットに導かれ、残りのコインは係止突起部に係止されるので、１枚のコインだけを確実に操作できて出し入れ口から取り出すことができる。
【００１６】
更に、それぞれ複数のコイン収容室、出し入れ口、および指操作用スリットが本体ケーシングに左右方向に並設されているものでは、１つの本体ケーシング内に複数のコイン収容室があるので、収容したいコイン種毎に専用のコイン収容室を割り当てることができる。
【００１７】
また、本体ケーシングとは別個独立に構成された隔壁がコイン径方向移動可能に位置決め固定される位置決め部材を有するものでは、コイン収容室のコイン径方向幅を自在に変更することができる。これにより、収容を所望するコイン種の径に応じて、コイン収容室のコイン径方向幅を選ぶことができる。その結果、コイン収容室毎に収容コイン種を変更することも可能となる。
【００１８】
そして、本発明に係る別の小銭入れによれば、第１コイン収容室、第１出し入れ口、および第１指操作用スリットの組と、第２コイン収容室、第２出し入れ口、および第２指操作用スリットの組とが上下２段に配置されているので、本体ケーシングの上部および下部を有効に利用して上下２段構造を実現できコンパクトなものを提供できる。これにより、汎用の札入れの札ポケットなどに出し入れ自由に装着して利用することが可能となる。
【図面の簡単な説明】
【００１９】
【図１】本発明の一実施形態に係る小銭入れの斜視図である。
【図２】図１におけるＡ−Ａ線矢視断面図である。
【図３】図１におけるＢ−Ｂ線矢視断面図である。
【図４】前記した小銭入れの板バネ部材を示す斜視図である。
【図５】前記した小銭入れにコインを収容する態様を示す図であって、（ａ）は出し入れ口からコインを装入する状態を示す側断面図、（ｂ）は板バネ部材上のコインをコイン収容室に向けて移動させる状態を示す側断面図、（ｃ）はコイン収容室にコインを収容した状態を示す側断面図である。
【図６】前記した小銭入れからコインを取り出す態様を示す図であって、（ａ）は傾けた小銭入れの指操作用スリットの下方位置にコインを移動させる状態を示す側断面図、（ｂ）は板バネ部材上のコインを出し入れ口に向けて移動させる状態を示す側断面図、（ｃ）は出し入れ口からコインを取り出す状態を示す側断面図である。
【図７】本発明の別の実施形態に係る小銭入れの第１ケースを展開した状態を示す平面図である。
【図８】本発明の他の実施形態に係る小銭入れの斜視図である。
【図９】図８におけるＣ−Ｃ線矢視断面図である。
【図１０】本発明の更に他なる実施形態に係る小銭入れの斜視図である。
【図１１】図１０におけるＤ−Ｄ線矢視断面図である。
【発明を実施するための形態】
【００２０】
本発明の実施形態を図面に基づいて説明する。尚、以下に述べる実施形態は本発明を具体化した一例に過ぎず、本発明の技術的範囲を限定するものでない。図１は本発明の一実施形態に係る小銭入れの斜視図、図２は図１におけるＡ−Ａ線矢視断面図、図３は図１におけるＢ−Ｂ線矢視断面図である。
【００２１】
各図において、この実施形態に係る小銭入れ１は、例えば矩形薄箱状の本体ケーシング２を備えている。この本体ケーシング２は、上側に配置される第１ケース２Ａと、下側に配置されて第１ケース２Ａに嵌着される第２ケース２Ｂとから構成されている。すなわち、本体ケーシング２は、外周縁に嵌合突部２Ｇを有する矩形皿状の第１ケース２Ａと、第１ケース２Ａの嵌合突部２Ｇに嵌合して固定される嵌合突部２Ｈを外周縁に有する第２ケース２Ｂとからなっている。この場合、第１ケース２Ａの一側面部２Ｄと第２ケース２Ｂの他側面部２Ｃとが嵌合し、第１ケース２Ａの他側面部２Ｃと第２ケース２Ｂの一側面部２Ｄとが嵌合する。この本体ケーシング２は、厚さＴが７ｍｍ程度で縦寸法Ｗが７０ｍｍ程度であって、汎用されている折り重ね式の札入れのポケット内に収まるサイズに設定してある。
【００２２】
そして、この小銭入れ１は、本体ケーシング２内の一端側に形成された第１コイン収容室３Ａ（コイン収容室３でもある）と、第１コイン収容室３Ａに対してコインＮを出し入れするために第１ケース２Ａの他側面部２Ｃに形成された第１出し入れ口４Ａ（出し入れ口４でもある）と、第１コイン収容室３Ａと第１出し入れ口４Ａとの間でコインＮを移動させるために第１ケース２Ａの上面部２Ｅに形成された第１指操作用スリット５Ａ（指操作用スリット５でもある）と、本体ケーシング２内の他端側に形成された第２コイン収容室３Ｂ（コイン収容室３でもある）と、第２コイン収容室３ＢにコインＮを出し入れするために本体ケーシング２の一側面部２Ｃに形成された第２出し入れ口４Ｂ（出し入れ口４でもある）と、第２コイン収容室３Ｂと第２出し入れ口４Ｂとの間でコインＮを移動させるために第２ケース２Ｂの下面部２Ｆに形成された第２指操作用スリット５Ｂ（指操作用スリット５でもある）と、第１出し入れ口４Ａまたは第２出し入れ口４Ｂを開閉自在に塞ぐために第１コイン収容室３Ａおよび第２コイン収容室３Ｂ内に配置されて上下に弾性変形する板バネ部材６と、を備えている。前記の第１出し入れ口４Ａおよび第２出し入れ口４Ｂは、コインＮを第１ケース２Ａの上面部２Ｅまたは第２ケース２Ｂの下面部２Ｆの平面方向に沿ってコイン径方向に出し入れするためのものである。第１指操作用スリット５Ａおよび第２指操作用スリット５Ｂにおける左右方向の開口幅はいずれもコイン幅寸法よりも小さく設定され、これによりコインＮが指操作用スリット５Ａ，５Ｂから飛び出さないように工夫されている。
【００２３】
前記の板バネ部材６は、部材全体が側断面視で略Ｓの字状に形成されていて、本体ケーシング２の第１出し入れ口４Ａと第２出し入れ口４Ｂを開閉自在に塞ぐ２つの蓋部６Ａ，６Ａと、第１出し入れ口４Ａと第２出し入れ口４Ｂを塞ぐ方向に蓋部６Ａ，６Ａを弾性付勢するために蓋部６Ａ，６Ａからそれぞれ先端側に延在して形成された両端のバネ部６Ｂ，６Ｂと、２つの蓋部６Ａ，６Ａからそれぞれバネ部６Ｂ，６Ｂとは反対側に延在し第１指操作用スリット５Ａと第２指操作用スリット５Ｂのそれぞれの近傍位置に配置される２つのコイン操作部６Ｃ，６Ｃと、第１コイン収容室３Ａ内と第２コイン収容室３Ｂ内に配置されてコインＮを収受する２つの床部６Ｅ，６Ｅと、から構成されている。この板バネ部材６は、通常時は、バネ部６Ｂ，６Ｂがコイン操作部６Ｃ，６Ｃおよび蓋部６Ａ，６Ａを図２中の矢印Ｖ方向に押して、コイン操作部６Ｃ，６Ｃを第１指操作用スリット５Ａと第２指操作用スリット５Ｂの下方の天井面２Ｉ，２Ｉに押し付けるとともに、蓋部６Ａ，６Ａで第１出し入れ口４Ａと第２出し入れ口４Ｂを塞いでいる。一方、コイン取り出し時には、第１指操作用スリット５Ａまたは第２指操作用スリット５Ｂから挿し入れられた指Ｊにより板バネ部材６が押し入れられて第１出し入れ口４Ａまたは第２出し入れ口４Ｂを開くようになっている。
【００２４】
そして、この小銭入れ１において、第１出し入れ口４Ａの上面側の縁部８は、板バネ部材６上を前方に押し出されるコインＮを係止するために、第１ケース２Ａの上面部２Ｅの天井面２Ｉから下向きに突出して形成されている。第２出し入れ口４Ｂの下面側の縁部８は、板バネ部材６上を前方に押し出されるコインＮを係止するために、第２ケース２Ｂの下面部２Ｆの天井面２Ｉから上向きに突出して形成されている。
【００２５】
そして、第１ケース２Ａの上面部２Ｅの天井面２Ｉであって、第１指操作用スリット５Ａの近傍位置には、下向きに突出した係止突起部７が形成されている。一方、第２ケース２Ｂの下面部２Ｆの天井面（底面）２Ｉであって、第２指操作用スリット５Ｂの近傍位置にも、上向きに突出した係止突起部７が形成されている。これらの係止突起部７は、係止突起部７の先端部と、出し入れ口４Ａを塞いだ状態の板バネ部材６の連結部６Ｄとの間に１枚のコインＮを通過可能な隙間Ｑを有するように、係止突起部７の下向き突出長が設定されている。すなわち、隙間Ｑの隙間幅Ｓは１枚のコインＮの厚さＣよりも大きく、二枚重ねのコインＮ，Ｎの厚さＣ×２よりも小さな値に設定されている。
【００２６】
そして、この小銭入れ１では、例えば左右方向（図１の矢印Ｌ方向）に５組の、第１コイン収容室３Ａ、第１コイン収容室３Ｂ、第１出し入れ口４Ａ、第２出し入れ口４Ｂ、第１指操作用スリット５Ａ、および第２指操作用スリット５Ｂが、本体ケーシング２に並設されている。そして、隣り合う第１コイン収容室３Ａ，３Ａの間、および隣り合う第２コイン収容室３Ｂ，３Ｂの間は、位置固定の隔壁９で仕切られている。この隔壁９は、第１ケース２Ａの上面部２Ｅから垂下して形成された壁構成部９Ａと、第２ケース２Ｂの下面部２Ｆから起立して形成された壁構成部９Ｂとを突き合わせて構成されている（図３参照）。また、それぞれの第１コイン収容室３Ａ内および第２コイン収容室３Ｂ内には、共通の板バネ部材６が配置されている。
【００２７】
上記のように構成された小銭入れ１の作用を次に説明する。
【００２８】
ここで、小銭入れ１にコインＮを「収容」する態様を示す。まず、図５（ａ）に示すように、本体ケーシング２の第１指操作用スリット５Ａから一方の手の指Ｊを挿し入れて（矢印Ｈ２）、板バネ部材６のコイン操作部６Ｃを押し下げる。これにより、板バネ部材６の蓋部６Ａが第１出し入れ口４Ａよりも下方位置に下がり、第１出し入れ口４Ａがコイン通過可能な状態に開放される。その状態のまま、他方の手で掴んだコインＮを第１出し入れ口４Ａから装入し（矢印Ｈ２）、コインＮ全体をコイン操作部６Ｃ上に載せたのち、押し下げていた指Ｊの力を抜く。すると、同図（ｂ）に示すように、コインＮは、バネ力により矢印Ｈ３のように上昇した板バネ部材６のコイン操作部６Ｃと第１ケース２Ａの天井面２Ｉとの間に挟まれて保持される。このとき、第１出し入れ口４Ａは板バネ部材６の蓋部６Ａにより塞がっている。
【００２９】
次に、再び指Ｊを第１指操作用スリット５Ａから挿し入れて、コイン操作部６Ｃ上のコインＮを一端側に向けて押し（矢印Ｈ４）、第１コイン収容室３Ａに向けて移動させる。その後、同図（ｃ）に示すように、コインＮは板バネ部材６の連結部６Ｄと係止突起部７との隙間Ｑを通過して第１コイン収容室３Ａ内に収容され（矢印Ｈ５）、板バネ部材６の床部６Ｅ上に貯留される。これら一連の収容操作は極めて短時間で済み、例えば１個当り１秒未満である。
【００３０】
一方で、第２ケース２Ｂの第２出し入れ口４Ｂから第２コイン収容室３Ｂ内にコインＮを収容する場合は、本体ケーシング２を天地反転させ、第２指操作用スリット５Ｂを上向きにしたのちに、前記した第１出し入れ口４Ａから収容する場合と同様の収容操作がなされる。
【００３１】
次に、小銭入れ１からコインＮを「取り出す」態様を示す。このとき、第１コイン収容室３Ａ内または第２コイン収容室３Ｂ内にコインＮが収容された状態で、板バネ部材６は、第１出し入れ口４Ａまたは第２出し入れ口４Ｂを塞いで第１コイン収容室３Ａ内または第２コイン収容室３Ｂ内からのコインＮの飛び出しを防いでいる。
【００３２】
そこで、まず図６（ａ）に示すように、板バネ部材６における連結部６Ｄの第１指操作用スリット５Ａ寄り部分が下向きとなるように小銭入れ１を傾けると、第１コイン収容室３Ａ内のコインＮ，Ｎ，Ｎ，・・・が自重により連結部６Ｄ上を第１指操作用スリット５Ａの下方位置に向かって移動する（矢印Ｋ１）。このとき、係止突起部７が存在するため、最下位置のコインＮだけが隙間Ｑを通過し、第１指操作用スリット５Ａ近傍の天井面２Ｉに当接して止まる。残りのコインＮ，Ｎ，・・・は係止突起部７で係止されて、その位置で留まる。次に、第１指操作用スリット５Ａから指Ｊを挿し入れて板バネ部材６のコイン操作部６Ｃを少し押し下げる（矢印Ｋ２）。すると、第１ケース２Ａの天井面２Ｉと板バネ部材６のコイン操作部６Ｃとの間に上下隙間が生じ、この隙間に先頭のコインＮが入り込む。
【００３３】
そこで、同図（ｂ）に示すように、指Ｊでコイン操作部６Ｃ上のコインＮを押して第１出し入れ口４Ａに向けて移動させる（矢印Ｋ３）。このとき、第１指操作用スリット５Ａから挿し入れた指Ｊを板バネ部材６上のコインＮから離したためにコインＮが第１出し入れ口４Ａに向かっても、そのコインＮは第１出し入れ口４Ａの上面側の縁部８でいったん係止される。従って、不意にコインＮが第１出し入れ口４Ａから飛び出すことを未然に防止できる。更に、そのコインＮおよびコイン操作部６Ｃを一緒に押し下げることにより（矢印Ｋ４）、板バネ部材６の蓋部６Ａが第１出し入れ口４Ａよりも下方位置に下がり、第１出し入れ口４Ａがコイン通過可能な状態に開放される。その状態で、コインＮを他端側に向けて押すことにより（矢印Ｋ５）、同図（ｃ）に示すように、第１出し入れ口４ＡからコインＮが取り出されるのである。これら一連の取出操作も極めて短時間で済み、例えばコイン１個当り１秒未満である。
【００３４】
他方で、第２コイン収容室３Ｂ内のコインＮを第２ケース２Ｂの第２出し入れ口４Ｂから取り出す場合は、本体ケーシング２を天地反転させ、第２指操作用スリット５Ｂを上向きにしたのち、前記した第２出し入れ口４Ｂから取り出す場合と同様の取り出し操作がなされる。すなわち、１枚のコインＮだけを確実に操作して出し入れ口４Ａ，４Ｂから取り出すことができる。
【００３５】
上記したように、この実施形態に係る小銭入れ１によれば、出し入れ口４Ａ，４Ｂが板バネ部材６により開閉自在に塞がれているので、コイン収容室３Ａ，３Ｂ内に収容されているコインＮが出し入れ口４Ａ，４Ｂから飛び出すことを防止できる。一方、コイン取り出し時には、本体ケーシング２の指操作用スリット５Ａ，５Ｂから挿し入れられた指Ｊにより、板バネ部材６が押し下げられて出し入れ口４Ａ，４Ｂが開かれるので、コインＮを１枚ずつ確実かつ簡単に取り出すことができる。
【００３６】
また、この小銭入れ１では、それぞれ５つのコイン収容室３Ａ，３Ｂ、出し入れ口４Ａ，４Ｂ、および指操作用スリット５Ａ，５Ｂが本体ケーシング２に左右方向に並設され、隣り合うコイン収容室間が隔壁９で仕切られ、各コイン収容室３Ａ，３Ｂ内に板バネ部材６がそれぞれ配置されているので、収容するコイン種毎に専用のコイン収容室３Ａ，３Ｂを割り当てることができる。
【００３７】
尚、上記の実施形態では、隔壁９を本体ケーシング２と一体に形成した例を示したが、本発明の小銭入れはそれに限定されるものでない。例えば、隔壁を本体ケーシングとは別個独立に構成したものも、本発明に含まれる。
【００３８】
このようなものとしては、図７に示す小銭入れ１ａが挙げられる。この小銭入れ１ａは、左右方向（矢印Ｒ方向）に３つ配置された第１コイン収容室３Ａ，３Ａ，３Ａと、これら第１コイン収容室３Ａ，３Ａ，３Ａの下方に配置される３つの第２コイン収容室３Ｂ，３Ｂ，３Ｂとを有する本体ケーシング２ａを備えている。この本体ケーシング２ａは、外周縁に嵌合突部２Ｇを有する矩形皿状の第１ケース２Ａａと、第１ケース２Ａａの嵌合突部２Ｇと嵌合する嵌合突部２Ｈを外周縁に有する第２ケース２Ｂａとが、ヒンジ部１１を介して折り重ね自在（矢印Ｒ）に連結されている。
【００３９】
そして、第１コイン収容室３Ａ内における他側面部２Ｃ側の内壁面と一側面部２Ｄ側の内壁面には、それぞれ複数の位置決め部材１０，１０，１０，・・・がコイン径方向に一定間隔で形成されている。他側面部２Ｃ側の位置決め部材１０，１０，１０，・・・と、一側面部２Ｄ側の位置決め部材１０，１０，１０，・・・とは、それぞれ対面した位置に設けられている。第２コイン収容室３Ｂ内における他側面部２Ｃ側の内壁面と一側面部２Ｄ側の内壁面にも、第１コイン収容室３Ａと同様の構成で、それぞれ複数の位置決め部材１０，１０，１０，・・・が形成されている。
【００４０】
一方、隔壁９ａは本体ケーシング２ａとは別個独立に構成されていて、例えば矩形板状に形成されている。隔壁９ａの板厚は、隣り合う位置決め部材１０，１０間に嵌着できる厚さに設定されている。これらの隔壁９ａは位置決め部材１０，１０間に着脱自在に嵌着されてコイン径方向（矢印Ｌ方向）に移動可能に位置決め固定される。
【００４１】
この小銭入れ１ａによれば、隔壁９ａを所望位置の位置決め部材１０，１０に係合させることにより、コイン収容室３Ａ，３Ｂのコイン径方向幅Ｕを自在に変更することができる。すなわち、収容しようとするコイン種（例えば１円玉、５円玉、１０円玉、５０円玉、１００円玉、５００円玉）のコイン径に応じて、コイン収容室３Ａ，３Ｂのコイン径方向幅Ｕを所望に選定することができる。ところで、コイン径が最大の５００円コインが通過可能な大きさに各出し入れ口４Ａ，４Ｂを形成しておけば、すべての種類のコインを通過させ得るので、どのコイン収容室３Ａ，３Ｂも、収容すべきコインの種類をよりいっそう自由に変更することができる。
【００４２】
尚、本発明に係る位置決め部材としては、前記した位置決め部材１０，１０，１０，・・・に替えて、１点鎖線の円で示す位置決め部材１０ａ，１０ａ，１０ａ，・・・などを採用することも可能である。これらの位置決め部材１０ａ，１０ａ，１０ａ，・・・は、例えば第１ケース２Ａａの天井面２Ｉおよび第２ケース２Ｂａの天井面２Ｉにそれぞれ突出して形成される。
【００４３】
また、上記した各実施形態では、コイン収容室、出し入れ口、および指操作用スリットの組が、コイン左右方向に複数組配備されるとともに、これらの組が上下２段に配置された例を示したが、例えば図８および図９に示すように、コイン収容室３、出し入れ口４、および指操作用スリット５が一組かつ上下１段の配置にされた小銭入れ１ｂも、本発明に含まれる。
【００４４】
この小銭入れ１ｂは、箱状の本体ケーシング２ｂを備えている。この本体ケーシング２ｂは、上側に配置される第１ケース２Ａｂと、下側に配置されて第１ケース２Ａｂに嵌着される第２ケース２Ｂｂとから構成されている。そして、第１ケース２Ａｂの他側面部２Ｃに出し入れ口４が形成され、上面部２Ｅの他側面部２Ｃ寄りに指操作用スリット５が形成されている。第２ケース２Ｂｂの他側面部２Ｃａには出し入れ口が形成されていない。また、この小銭入れ１ｂに用いられる板バネ部材６ａは、蓋部６Ａおよびバネ部６Ｂを１つずつ備えており、コイン取り出し時に指操作用スリット５から挿し入れられた指により押し下げられて出し入れ口４を開くようになっている。
【００４５】
この小銭入れ１ｂによっても、出し入れ口４からコイン収容室３内へ簡単にコインＮを収容でき、板バネ部材６ａの作用により、コイン収容室３内のコインＮが出し入れ口４や指操作用スリット５から飛び出すことを防ぐとともに、コインＮを１枚ずつ確実かつ簡単に取り出すことができる。加えて、この小銭入れ１ｂは、コイン収容室３、出し入れ口４、および指操作用スリット５がそれぞれ１つであるので、構造が簡素かつコンパクトであり安価に提供され得る。また、出し入れ口４の開口サイズを、最も大径のコインＮ（例えば５００円玉）が通過可能な大きさにしておけば、全ての種類のコインＮをコイン収容室３内に収容することが可能である。
【００４６】
そして、図１０および図１１に示す小銭入れ１ｃも、本発明に含まれる。
【００４７】
この小銭入れ１ｃは、コイン収容室３、出し入れ口４、および指操作用スリット５の組が、コイン左右方向に５組かつ上下１段で本体ケーシング２ｃに配備されている。本体ケーシング２ｃは、既述した小銭入れ１に用いたものと同じ第１ケース２Ａと、第１ケース２Ａの下方に配置されて嵌着される第２ケース２Ｂｃとから構成されている。尚、第２ケース２Ｂｃの他側面部２Ｃｂには出し入れ口が形成されていない。また、前述した小銭入れ１ｂで用いたものと同じ板バネ部材６ａがそれぞれのコイン収容室３内に配備されている。
【００４８】
ところで、既述した小銭入れ１ｂでは、本体ケーシング２ｂ内において板バネ部材６ａのコイン操作部６Ｃおよび連結部６Ｄの下方位置に、余剰スペースが存在していた。そこで、この小銭入れ１ｃでは、板バネ部材６ａのコイン操作部６Ｃおよび連結部６Ｄの下方スペースに、コイン収納部２１が設けられている。このコイン収納部２１は、第２ケース２Ｂｃの底面上に形成された行き止り箱状の皿格納室２０と、皿格納室２０に出し入れ自在に格納される受皿体２２と、を備えている。皿格納室２０は、第２ケース２Ｂｃ内で左右方向に長く延在して形成され、例えば第２ケース２Ｂｃの右側面に開口している。受皿体２２は、上面が開口した平面視矩形皿状に形成されていて、外側面に把手２３が設けられている。
【００４９】
この小銭入れ１ｂでは、把手２３を手で持って受皿体２２が皿格納室２０から引き出され、引き出された受皿体２２内にコインＮが出し入れされる。従って、個々のコイン収容室３に種類毎のコインＮを収容できるのはもとより、それ以外に、本体ケーシング２ｃ内の余剰スペースを有効に利用して、より多くのコインＮを収容することができる。尚、受皿体２２内には、１種類のコインＮを収容するようにしてもよいし、複数種のコインＮ，Ｎ，Ｎ，・・・を混在して収容しても構わない。
【００５０】
尚、上記した小銭入れ１，１ａ，１ｂ，１ｃでは、本体ケーシング２，２ａ，２ｂ，２ｃとして、上下の第１ケース２Ａ，２Ａａ，２Ａｂと第２ケース２Ｂ，２Ｂａ，２Ｂｂ，２Ｂｃとから成るものを例示したが、本発明に係る本体ケーシングはそれらに限定されない。例えば、第１ケースと第２ケースに相当する部分を一体に成型したようなものも、本発明に含まれる。
【符号の説明】
【００５１】
１，１ａ，１ｂ，１ｃ  小銭入れ
２，２ａ，２ｂ，２ｃ  本体ケーシング
２Ａ，２Ａａ，２Ａｂ  第１ケース
２Ｂ，２Ｂａ，２Ｂｂ，２Ｂｃ  第２ケース
２Ｃ，２Ｃａ，２Ｃｂ  他側面部
２Ｄ  一側面部
２Ｅ  上面部
２Ｆ  下面部
２Ｉ  天井面
３  コイン収容室
３Ａ  第１コイン収容室
３Ｂ  第２コイン収容室
４  出し入れ口
４Ａ  第１出し入れ口
４Ｂ  第２出し入れ口
５  指操作用スリット
５Ａ  第１指操作用スリット
５Ｂ  第２指操作用スリット
６，６ａ  板バネ部材
６Ａ  蓋部
６Ｂ  バネ部
６Ｃ  コイン操作部
６Ｄ  連結部
６Ｅ  床部
７  係止突起部
８  縁部
９，９ａ  隔壁
９Ａ，９Ｂ  壁構成部
１０，１０ａ  位置決め部材
Ｃ  厚さ
Ｌ  矢印
Ｑ  隙間
Ｎ  コイン
Ｓ  隙間幅
Ｕ  コイン径方向幅
【図１】
0005552577.tif 000002
【図２】
0005552577.tif 000003
【図３】
0005552577.tif 000004
【図４】
0005552577.tif 000005
【図５】
0005552577.tif 000006
【図６】
0005552577.tif 000007
【図７】
0005552577.tif 000008
【図８】
0005552577.tif 000009
【図９】
0005552577.tif 000010
【図１０】
0005552577.tif 000011
【図１１】
0005552577.tif 000012